(57)【要約】  生理用品のような吸収性物品は液体透過性トップシートを含み、トップシートは吸収性物品の内部に向かって配向される内表面及び、吸収性物品が着用されるときに着用者の皮膚に向かって配向される外表面を有する。吸収性物品はトップシートに接合したバックシートを含み、バックシートは吸収性物品の内部に向かって配向される内表面及び、吸収性物品が着用されるときに着用者の衣類に向かって配向される外表面を有する。吸収性物品はトップシートとバックシートとの間に配置される吸収性コアを含み、この吸収性コアは吸収性物品が着用されるときに、着用者の皮膚に向かって配向される内表面及び、吸収性物品が着用されるときに、着用者の衣類に向かって配向される外表面を有する。吸収性物品が、トップシートの外表面の少なくとも一部に適用されるローション組成物を含み、ローション組成物が、ポリプロピレングリコール材料を含む。
2011510801.tif 000002
【特許請求の範囲】
【請求項１】
吸収性物品であって、
液体透過性トップシートであって、前記トップシートが、前記吸収性物品の内側に向けられる内表面、及び前記吸収性物品が着用された際に着用者の皮膚に向けられる外表面を有する、液体透過性トップシートと、
前記トップシートに接合されるバックシートであって、前記バックシートが、前記吸収性物品の内側に向けられる内表面、及び前記吸収性物品が着用された際に前記着用者の衣類に向けられる外表面を有する、バックシートと、
前記トップシートと前記バックシートとの間に配置される吸収性コアであって、前記吸収性コアが、前記吸収性物品が着用された際に前記着用者の皮膚に向けられる内表面、及び前記吸収性物品が着用された際に前記着用者の衣類に向けられる外表面を有する、吸収性コアと、
前記トップシートの前記外表面の少なくとも一部に適用されるローション組成物であって、前記ローション組成物が、ポリプロピレングリコールコポリマー、ポリプロピレングリコール界面活性剤、及びこれらの混合物からなる群から選択されるポリプロピレングリコール材料を含む、ローション組成物と、
を含む、吸収性物品。
【請求項２】
前記ポリプロピレングリコール材料が、ポリプロピレングリコールコポリマーであり、前記ポリプロピレングリコールコポリマーが、内部ブロック成分及び末端ブロック成分を含み、前記内部ブロック成分が、式：
【化１】
2011510801.tif 000007
を有し、
前記末端ブロック成分が、式：
【化２】
2011510801.tif 000008
を有し、
式中、ｘは２〜１２０、ｙは２〜１００、及びＲ２は、水素、メチル、エチル、プロピル、イソプロピル、ブチル、イソブチル、ベンジル、アセトカルボニル、プロピオカルボニル、ブチロカルボニル、イソブチロカルボニル、ベンゾカルボニル、フマロカルボニル、アミノベンゾカルボニル、カルボキシメチレン、アミノプロピレン、アルキル化グルコース、アルキル化スクロース、アルキル化セルロース、アルキル化デンプン、又はホスフェートである、請求項１に記載の吸収性物品。
【請求項３】
前記ポリプロピレングリコール材料が、ポリプロピレングリコールコポリマーであり、前記ポリプロピレングリコールコポリマーが、ＰＰＧ−１２ジメチコン、ビス−ＰＰＧ−１５ジメチコン／ＩＰＤＩコポリマー、ＰＰＧ／ポリカプロラクトンブロックコポリマー、ＰＰＧ／ポリブタンジオール／ＰＥＧトリブロックコポリマー、ポリエチルイミン／ＰＰＧコポリマー、ポリアクリル酸−ｇ−ＰＰＧグラフトコポリマー、及びこれらの混合物からなる群から選択される、請求項１に記載の吸収性物品。
【請求項４】
前記ポリプロピレングリコール材料が、ポリプロピレングリコール界面活性剤であり、前記ポリプロピレングリコール界面活性剤が、式：
【化３】
2011510801.tif 000009
を有し、
式中、Ｒ３は、水素、アルキル、アルキルカルボニル、アルキレンアミン、アルキレンアミド、アルキレンホスフェート、アルキレンカルボン酸、アルキレンスルホン酸塩、又は６以下の炭素元素の最大数を有するアルキレン第四級アンモニウム化合物であり、Ｒ４は、オクチル、ノニル、デシル、イソデシル、ラウリル、ミリスチル、セチル、イソヘキサデシル、オレイル、ステアリル、イソステアリル、タローオイル、リノレイル、ホホバ、ラノリン、ベヘニル、Ｃ２４〜Ｃ２８アルキル、Ｃ３０〜Ｃ４５アルキル、ジノニルフェニル、ドデシルフェニル、又はソヤであり、ｚは１〜１００であり、Ｆはエーテル基、エステル基、アミン基、アミド基、及びリン酸エステル基からなる群から選択される官能基である、請求項１に記載の吸収性物品。
【請求項５】
前記ポリプロピレングリコール材料が、ポリプロピレングリコール界面活性剤であり、前記ポリプロピレングリコール界面活性剤が、式：
【化４】
2011510801.tif 000010
を有し、
式中、Ｒ５は、ヘキシル、２−エチルヘキシル、オクチル、ノニル、デシル、イソデシル、ラウリル、ココイル、ミリスチル、セチル、イソヘキサデシル、オレイル、ステアリル、イソステアリル、タロー、リノレイル、オクチルフェニル、又はノニルフェニルであり、ｒは１〜１２０であり、Ｇはエーテル、エステル、アミン、又はアミド結合である、請求項１に記載の吸収性物品。
【請求項６】
前記ポリプロピレングリコール材料が、ポリプロピレングリコール界面活性剤であり、前記ポリプロピレングリコール界面活性剤が、ＰＰＧ−３０セチルエーテル、ＰＰＧ−２０メチルグルコースエーテルジステアレート、ＰＰＧ−２０メチルグルコースエーテルアセテート、ＰＰＧ−２０ソルビタントリステアレート、ＰＰＧ−２０メチルグルコースエーテルジステアレート、ＰＰＧ−２０ジステアレート、ＰＰＧ−１５ステアリルエーテル、ＰＰＧ−１５ステアリルエーテルベンゾエート、ＰＰＧ−１５イソヘキサデシルエーテル、ＰＰＧ−１５ステアレート、ＰＰＧ−１５ジココエート、ＰＰＧ−１２ジラウレート、ＰＰＧ−１１ステアリルエーテル、ＰＰＧ−１０セチルエーテル、ＰＰＧ−１０グリセリルステアレート、ＰＰＧ−１０ソルビタンモノステアレート、ＰＰＧ−１０硬化ヒマシ油、ＰＰＧ−１０セチルホスフェート、ＰＰＧ−１０タローアミン、ＰＰＧ−１０オレアミド、ＰＰＧ−１０セチルエーテルホスフェート、ＰＰＧ−１０ジノニルフェノラート、ＰＰＧ−９ラウレート、ＰＰＧ−８ジオクタート、ＰＰＧ−８ジエチルヘキシラート、ＰＰＧ−７ラウリルエーテル、ＰＰＧ−５ラノリンワックスエーテル、ＰＰＧ−５スクロースココエート、ＰＰＧ−５ラノリンワックス、ＰＰＧ−４ホホバアルコールエーテル、ＰＰＧ−４ラウリルエーテル、ＰＰＧ−３ミリスチルエーテル、ＰＰＧ−３ミリスチルエーテルプロピオネート、ＰＰＧ−３ベンジルエーテルミリステート、ＰＰＧ−３硬化ヒマシ油、ＰＰＧ−３ヒドロキシエチルソヤミド、ＰＰＧ−２コカミド、ＰＰＧ−２ラノリンアルコールエーテル、ＰＰＧ−１ヤシ脂肪酸イソプロパノールアミド、及びこれらの混合物からなる群から選択される、請求項１に記載の吸収性物品。
【請求項７】
前記ポリプロピレングリコール界面活性剤が、ＰＰＧ−１５ステアリルエーテルである、請求項６に記載の吸収性物品。
【請求項８】
吸収性物品であって、
液体透過性トップシートであって、前記トップシートが、前記吸収性物品の内側に向けられる内表面、及び前記吸収性物品が着用された際に前記着用者の皮膚に向けられる外表面を有する、液体透過性トップシートと、
前記トップシートに接合されるバックシートであって、前記バックシートが、前記吸収性物品の前記内側に向けられる内表面、及び前記吸収性物品が着用された際に、前記着用者の衣類に向けられる外表面を有する、バックシートと、
前記トップシートと前記バックシートとの間に配置される吸収性コアであって、前記吸収性コアが、前記吸収性物品が着用された際に、前記着用者の皮膚に向けられる内表面、及び前記吸収性物品が着用された際に前記着用者の衣類に向けられる外表面を有する、吸収性コアと、
前記トップシートの前記外表面の少なくとも一部に適用されるローション組成物であって、前記ローション組成物が、ポリプロピレングリコール材料及び任意にキャリアから本質的になる、ローション組成物と、
を含む、吸収性物品。
【請求項９】
前記ポリプロピレングリコール材料が、ポリプロピレングリコールホモポリマーであり、前記ポリプロピレングリコールホモポリマーが、式：
【化５】
2011510801.tif 000011
を有し、
式中、Ｒは、水素、メチル、エチル、プロピル、イソプロピル、ブチル、イソブチル、ベンジル、アセトカルボニル、プロピオカルボニル、ブチロカルボニル、イソブチロカルボニル、ベンゾカルボニル、フマロカルボニル、アミノベンゾカルボニル、カルボキシメチレン、アミノプロピレン、アルキル化グルコース、アルキル化スクロース、アルキル化セルロース、アルキル化デンプン、又はホスフェートであり、Ｒ１は、水素、メチル、エチル、プロピル、イソプロピル、ブチル、イソブチル、ベンジル、アセトカルボニル、プロピオカルボニル、ブチロカルボニル、イソブチロカルボニル、ベンゾカルボニル、フマロカルボニル、アミノベンゾカルボニル、カルボキシメチレン、アミノプロピレン、アルキル化グルコース、アルキル化スクロース、アルキル化セルロース、アルキル化デンプン、又はホスフェートであり、ｎは３〜１６０である、請求項８に記載の吸収性物品。
【請求項１０】
前記ポリプロピレングリコール材料が、ポリプロピレングリコールである、請求項８に記載の吸収性物品。
【請求項１１】
前記ポリプロピレングリコールが、約４００〜約１０，０００の数平均分子量を有する、請求項１０に記載の物品。
【請求項１２】
前記吸収性物品が生理用ナプキン及びパンティライナーからなる群から選択される生理用品である、請求項１〜１１のいずれか一項に記載の吸収性物品。
【発明の詳細な説明】
【技術分野】
【０００１】
本出願は経血を吸収するためのタンポン及び生理用ナプキンのような生理用品を含む吸収性物品に関する。より具体的には、本発明はポリプロピレングリコール材料を含むローション組成物を含む生理用品に関し、このローション組成物がその外表面に適用されている。
【背景技術】
【０００２】
ローション付きトップシートを有するおむつ、トレーニングパンツ及び生理用品のような使い捨て吸収性物品は既知である。様々な種類のローション類は、おむつかぶれの予防又は治療等の、様々な皮膚効果をもたらすことも知られている。これらのローションは例えば、吸収性物品のトップシートに適用することができ、使用中に着用者の皮膚に移動可能である。
【０００３】
多くの種類の使い捨て吸収性物品と異なり、パッド及びパンティライナーのような生理用品は特に月経液を獲得するように設計されている。月経液は、多くの重要な特性、例えば、粘度及び固形物、化学特性、及び／又は色内容などにおいて、他の排出物、例えば、尿とは異なる。そのため、生理用品を月経液を最大に吸収するように最適化させるためには、構造上の構成要素の点で乳児用おむつのような用品とは異なるはずである。
【０００４】
第１に皮膚に健康上の利益をもたらし、第２に尿のような流体を製品に吸収させるために、おむつ吸収性製品のトップシートの身体側表面を処理することが提案されている。皮膚の健康上の利益としては、身体表面に接触する体液の直接的汚染の低減、及び／又は、皮膚機能を改善するための成分、例えば、皮膚保護材の送達が挙げられる。それにもかかわらず、これらの処理は体液の獲得を妨げることが知られており、流体獲得に対する影響を最小限に抑えるためにトップシートの身体側表面のある領域上にこれらの処理を施すような「基本構想」が設計されている。皮膚に健康上の利益を提供するために、女性用衛生製品のトップシートの身体側表面を処理することも提案されており、同様に月経液の獲得の妨害を最小限に抑えるために処理の配置が一般に実施される。それにもかかわらず、これらのトップシート処理の使用は、トップシート表面への血球、又は他の汚れの堆積のために、度重なる体液との接触の後に、多くの場合、効果が薄れる。加えて、この処理は、場合により、女性用衛生製品のユーザに対する不潔な又は汚れたトップシートの外観を含む、悪い製品不良の印象、又は悪い臭気感覚の印象を与えることがある。この種類のトップシート上の処理は、皮膚の健康上の利益の悪化、及び使用済み女性用衛生物品の許容不可能な外観をもたらすことがある。
【発明の概要】
【発明が解決しようとする課題】
【０００５】
流体が身体から離れ、トップシートを通って製品中に移動することを可能にし得る、女性用衛生物品の処理を有することが有益である。
【０００６】
更に、制御された様式での、月経液のような流体の移動を可能にする女性用衛生製品の処理を有することが有益である。
【０００７】
更に、特に体液との複数回の接触の後に、トップシート及び着用者の皮膚の両方の知覚される清潔性を向上するように移動する流体、例えば、月経液を促進する女性用衛生物品の処理を有することが有益である。
【課題を解決するための手段】
【０００８】
生理用品のような吸収性物品は液体透過性トップシートを含み、トップシートは吸収性物品の内部に向かって配向される内表面及び、吸収性物品が着用されるときに着用者の皮膚に向かって配向される外表面を有する。吸収性物品はトップシートに接合したバックシートを含み、バックシートは吸収性物品の内部に向かって配向される内表面及び、吸収性物品が着用されるときに着用者の衣類に向かって配向される外表面を有する。吸収性物品はトップシートとバックシートとの間に配置される吸収性コアを含み、この吸収性コアは吸収性物品が着用されるときに、着用者の皮膚に向かって配向される内表面及び、吸収性物品が着用されるときに、着用者の衣類に向かって配向される外表面を有する。吸収性物品は、トップシートの外表面の少なくとも一部に適用されるローション組成物を含み、ローション組成物が、ポリプロピレングリコール材料を含む。一実施形態では、ローション組成物が、ポリプロピレングリコール材料、特にポリプロピレングリコールホモポリマー、例えば、ポリプロピレングリコール、及び任意によりキャリアとから本質的になる。別の実施形態では、ローション組成物が、ポリプロピレングリコールコポリマー、ポリプロピレングリコール界面活性剤、及びこれらの混合物からなる群から選択されるポリプロピレングリコール材料を含む。ポリプロピレングリコール材料を含むローション組成物が、トップシートの外表面に適用されると、体液、例えば経血がトップシートに付着することに抵抗し、吸収性物品の着用者に移動する際に、体液が着用者の皮膚に付着することに抵抗することを助け、それによって吸収性物品のトップシート上へのより少ない染み、及び着用者の肌のより少ない汚染を生じる。ローション組成物はまた、トップシートの外表面に適用されると、吸収性物品の連続的な流体獲得の改善を助けることもできる。
【図面の簡単な説明】
【０００９】
本明細書の末尾には、本発明の主題を具体的に特定すると共に個別に請求する特許請求の範囲が添付されているが、本発明は以下の説明を付属の図面と共に参照することで更に容易に理解されると考えられる。
【図１】トップシートと、バックシートと、吸収性コアと、を有する代表的な生理用品の平面図。
【図２】トップシートと、バックシートと、吸収性コアと、を有する別の代表的な生理用品の平面図。
【図３】トップシートと、バックシートと、吸収性コアと、を有する別の代表的な生理用品の平面図。
【発明を実施するための形態】
【００１０】
本発明は吸収性物品、具体的には、その上にローション処理組成物を有する使い捨て吸収性物品であって、処理組成物はポリプロピレングリコール（「ＰＰＧ」）材料を含む吸収性物品を目的とする。使い捨て吸収性物品は失禁用具及びタンポン、生理用ナプキン、パンティライナー、陰唇間製品等のような生理用品を含む、乳幼児用おむつ、又は女性用衛生製品であってよい。本発明は生理用ナプキン又はパンティライナーのような生理用品の１つの実施形態に関して、以下に開示する。
【００１１】
図１、２及び３はトップシート１４の外表面を含む身体接触表面１２と、トップシート１４に接合した液体不透過性バックシート１６と、吸収性コア１８と、を有する、生理用ナプキン、又はパンティライナーであってもよい生理用品１０を示す。生理用ナプキン１０は長手方向軸Ｌを有し、また当該技術分野において既知の「ウィング」又は「フラップ」（図示せず）、並びに、及び／又は第２トップシート及び／又は流体獲得層及び／又は吸収性コア１８への流体輸送を促進するように設計された他の層を含む、ナプキンに一般的に見られる追加的特徴を備えてもよい。同様に、生理用ナプキンのトップシートは当該技術分野において既知の様々な任意の特徴を有することができる。例えば、トップシート１４はその中に流体の流れを導くエンボス加工されたチャネルを有することができ、それらを通して流体獲得するのに役立つ開口部を有することができ、その上で又はそれを通して可視である印刷されたシグナルを有することができ、この可視シグナルはトップシート又はその下層上に印刷され、機能的及び審美的特性のために可視である。
【００１２】
図１、２及び３の生理用品１０はそれぞれ、それに適用されるローション組成物２２を有する。図１の生理用品１０は、トップシート１４の外表面に平行な縞で適用されるローション組成物２２を有する。図２の生理用品１０は、トップシート１４の外表面に斑点のパターンで適用されるローション組成物２２を有する。図３の生理用品１０は、トップシート１４の外表面に不均一なパターンで適用されるローション組成物２２を有する。
【００１３】
吸収性物品は着用者の身体に対して適合し、柔らかな感触であり、刺激がないものなど、いずれか既知の、又はその他の有効なトップシートを含んでもよい。好適なトップシート材料としては、着用者の身体に向かって配向され、身体に接触して、流体がトップシートを通って着用者の皮膚に逆流することなく、身体の排泄物がそれを通って迅速に浸透できる、液体透過性材料が挙げられる。トップシートが、トップシートを通る流体の迅速な移動を可能にできる一方、ローション組成物が着用者の身体の外側又は内側部分の上へ移動又は移行するようにする。好適なトップシートは生理用ナプキン、パンティライナー、失禁パッド等のような生理用品を製造する分野で周知である、織布材料及び不織布材料、孔あき成形熱可塑性フィルム、孔あきプラスチックフィルム及び交絡加工繊維孔あきフィルムを含む孔あきフィルム材料、ハイドロフォーミングされた熱可塑性フィルム、多孔質発泡体、網状発泡体、網状熱可塑性フィルム、熱可塑性スクリム、又はこれらの組み合わせのような種々の材料から製造することができる。
【００１４】
トップシートが不織布ウェブの形態の不織布繊維性材料を含むときに不織布ウェブは不織布ウェブを作製する任意の既知の手順により製造してよく、この非限定的な例としては、スパンボンディング、カーディング、ウェットレイド、エアレイド、メルトブローン、ニードルパンチング、機械交絡、熱機械交絡及び水流交絡が挙げられる。
【００１５】
本発明の生理用品はバックシートも含む。バックシートは任意の既知の又は他の有効なバックシート材料であることができ、バックシートは生理用品に吸収され、収容された排出物が外部に漏れるのを防止する。バックシートとしての使用に好適な可撓性材料としては、生理用ナプキン、パンティライナー、失禁パッド等のような生理用品を作製する分野で周知のような、織布材料及び不織布材料、積層組織、ポリエチレン及び／若しくはポリプロピレンの熱可塑性フィルムのような高分子フィルム、フィルムコーティングされている不織布材料のような複合材又はこれらの組み合わせが挙げられるが、これらに限定されない。
【００１６】
生理用品は吸収性コアも含む。吸収性コアはトップシートとバックシートの間に典型的には配置される。本明細書で使用する「吸収性コア」という用語は、尿、血液、経血、及び身体滲出液中に見出される水分のような水性流体を、吸収、分配、及び貯蔵するために好適な材料又は材料の組み合わせを指す。吸収性コアの大きさ及び形状は吸収能力要件に適合するように、かつ着用者／ユーザに快適性を提供するように変更することができる。本発明に用いるのに好適な吸収性コアは、液体吸収性材料が吸収能力要件に適合するように構成又は構築することができるという条件で、吸収性物品に用いられる当該技術分野において既知のいかなる液体吸収性材料にすることができる。吸収性コアとして使用するのに好適な液体吸収性材料の非限定的な例としては、生理用ナプキン、パンティライナー、失禁パッド等のような生理用品を作製する分野で周知である、一般的にエアフェルトと称される粉砕木材パルプ、捲縮セルロース塊、ヒドロゲル形成性ポリマーゲル化剤のような超吸収性ポリマーを含む吸収性ゲル材料、化学的に硬化、変性又は架橋されたセルロース繊維、コフォームを含むメルトブローンポリマー、けん縮ポリエステル繊維を含む合成繊維、ティッシュラップ及びティッシュラミネートを含むティッシュ、毛管路繊維、吸収性フォーム、吸収性スポンジ、合成ステープルファイバー、ピートモス、若しくはいずれかの同等の材料、又はこれらの組み合わせが挙げられる。
【００１７】
本発明の生理用品はローション組成物２２を含み、ローション組成物はＰＰＧ材料を含む。ＰＰＧローション組成物２２は、任意の既知の方法、任意の既知のパターンで、トップシート１４の外表面（すなわち、身体に面する表面）に適用され得る。例えば、ローション２２は図１に示すように、概略平行な細長条又はバンドのパターンで適用することができる。外表面は生理用ナプキンのトップシートの身体に面する側面又はタンポンの上包みの膣壁に面する表面のような表面を含むことができる。
【００１８】
トップシートの外表面（すなわち、身体に面する表面）へのローション組成物の適用に関し、ＰＰＧローション組成物は、体液、例えば、月経液のトップシートの外表面への付着の軽減を助け、それによって、吸収性物品のトップシートへのより少ない染みを生じるものと考えられる。トップシートへのＰＰＧローションの適用はまた、ＰＰＧローションの着用者の皮膚への移動を可能にし、着用者の皮膚のより少ない汚染を生じるトップシートの外表面に適用されると、ローション組成物はまた、吸収性物品への体液の、より効率的な獲得を提供することを助け得る。
【００１９】
生理用品の場合、ローション付加レベルの量は可変性であることができ、特定の必要性に合わせることができる。例えば、理論に縛られるものではないが、ローションは単位平方メートル（「ｇｓｍ」）あたり約０．０１グラム、約０．０５ｇｓｍ、約０．１ｇｓｍ、約０．５、約１ｇｓｍ、約２ｇｓｍ、約３ｇｓｍ、約４ｇｓｍ、約５ｇｓｍ、約１０ｇｓｍ、約２５ｇｓｍ、約５０ｇｓｍ又は約１００ｇｓｍの濃度で付加することができると考えられる。ローションは上記で列挙した濃度のいずれかにより規定される範囲（例えば、約０．０１ｇｓｍ〜約１００ｇｓｍ）内で適用することができる。これらの濃度はローションにより実際に被覆される表面の領域に関する。
【００２０】
生理用品及びローション組成物装置は米国特許出願公開第２００５／０１２９６５１（Ａ１）号、同第２００４／０１７０５８９（Ａ１）号及び同第２００５／０２０８１１３（Ａ１）号に記載のような、構成要素、構造、パターン、処方及び変形を含む。
【００２１】
本発明のローション組成物２２は非ＰＰＧ由来の界面活性剤及び他の表面改質剤を含む、既知のローションより有効な利点を提供する。この利点は経血を吸収するための生理用品で特に重要である。理論に縛られるものではないが、本明細書のＰＰＧ材料の優れた流体処理特性は経血の水成分に作用する表面エネルギー処理とは対照的に、ＰＰＧ材料が経血の固体成分に作用する方法に起因すると考えられる。既知の表面エネルギー処理は表面エネルギー処理の効果を複雑にする経血の極性及び分散性成分の存在に起因して、それほど有効ではない。本明細書におけるＰＰＧ材料が、典型的には経血に容易に溶解しないため、経血中に融解することなく効果的に表面をコーティングすることができ、これは、その電子供与双極子が、負に双極化したタンパク質を拒絶する水和障壁を提供し、これによって経血の、使い捨て吸収性物品、又は着用者に皮膚の表面を汚染する傾向を低減する。着用者の皮膚及び／又はトップシートの低減された汚染は、より良好で、より迅速な流体の移動、及び使用される製品上のより少ない可視の染みのパターンを生じる。
【００２２】
本明細書のＰＰＧ材料が、ローション組成物中の一成分として適用されることもでき、無希釈（すなわち、ローション組成物はＰＰＧ材料からなる）で適用されることもできる。ＰＰＧ材料が、無希釈のローション組成物、及び／又はローション組成物の一部のいずれかが、所望の流体処理特性、及び着用者の皮膚の所望の処理によって、異なる付加レベルで適用され得る。ＰＰＧ材料が、トップシートの外表面に、任意のパターン、例えば、全面コーティング、縞又はバンド（ＭＤ又はＣＤ方向で）、液滴、螺旋模様などで付加される。ＰＰＧ材料を含むローション組成物は吸収性物品に存在するとき、チャネル又はエンボス加工された領域付近に配置することもできる。
【００２３】
１つの実施形態では、トップシート１４は親水性であるか、親水性にすることができ、ローションも親水性であることができる。親水性又は疎水性の水準は、平衡状態で材料の表面上に水滴が作り出す角度を測定するような、標準的な技術により決定することができる。一般に、本発明の目的上、水滴が約６０°以下の角度を示す場合、材料は親水性であると考えられる。繊維のポリマーから形成されるフィルムシートが６０°未満、７５°未満及び約９０°未満の水との接触角を示す場合、繊維は親水性であると考えられる。親水性の尺度としての接触角は当該技術分野において周知であり、接触角を測定する方法も同様に周知である。周知のように、約９０°を超える接触角は、疎水性とみなされる。
【００２４】
本発明のローション組成物はＰＰＧ材料を含む。本明細書で好適なＰＰＧ材料としては、ＰＰＧホモポリマー材料、ＰＰＧコポリマー材料及びＰＰＧ界面活性剤材料、並びにこれらの混合物が挙げられる。ローション組成物は他の任意成分を更に含むことができる。１つの実施形態では、ローション組成物は本質的にＰＰＧ材料、好ましくはポリプロピレングリコールからなるか、ＰＰＧ材料、好ましくはポリプロピレングリコールからなる。別の実施形態では、ローション組成物は、ポリプロピレングリコールコポリマー、ポリプロピレングリコール界面活性剤、及びこれらの混合物からなる群から選択されるＰＰＧ材料を含む。
【００２５】
本発明のローション組成物は、ローション組成物の約０．１重量％〜約１００重量％の濃度のＰＰＧ材料を含むことができる。一実施形態では、ローション組成物は、ローション組成物の約１０重量％未満、好ましくは約０．５重量％〜８重量％、及びより好ましくは約１重量％〜６重量％のＰＰＧ材料を含む。別の実施形態では、ローション組成物は、ローション組成物の少なくとも約５０重量％、好ましくは約７５重量％〜約１００重量％、及びより好ましくは約９０重量％〜約１００重量％のＰＰＧ材料を含む。
【００２６】
好適なＰＰＧホモポリマー材料としては、以下の式に一致するものが挙げられる。
【化１】
2011510801.tif 000003
−式中、Ｒは水素、メチル、エチル、プロピル、イソプロピル、ブチル、イソブチル、ベンジル、アセトカルボニル、プロピオカルボニル、ブチロカルボニル、イソブチロカルボニル、ベンゾカルボニル、フマロカルボニル、アミノベンゾカルボニル、カルボキシメチレン、アミノプロピレン、アルキル化グルコース、アルキル化スクロース、アルキル化セルロース、アルキル化デンプン又はホスフェートであり、式中Ｒは好ましくは水素又はメチルであり、
−式中、Ｒ１は、水素、メチル、エチル、プロピル、イソプロピル、ブチル、イソブチル、ベンジル、アセトカルボニル、プロピオカルボニル、ブチロカルボニル、イソブチロカルボニル、ベンゾカルボニル、フマロカルボニル、アミノベンゾカルボニル、カルボキシメチレン、アミノプロピレン、アルキル化グルコース、アルキル化スクロース、アルキル化セルロース、アルキル化デンプン又はホスフェートであり、式中Ｒ１は好ましくは水素又はメチルであり、
−式中、ｎは３〜１６０、好ましくは５〜１２０、より好ましくは１０〜１００、より好ましくは２０〜８０である。
【００２７】
所望により、ＰＰＧホモポリマーはそのモノマー原材料の一部として低濃度のグリセロール又はブタンジオールを含んでもよい。存在する場合、グリセロール又はブタンジオールとプロピレングリコールとの好ましい比は１：１０００〜１：２、最も好ましくは１：１００〜１：５の範囲である。ＰＰＧホモポリマーはＣＡＳ番号２５３２２−６９−４及び同２５７９１−９６−２を有することができるが、これらに限定されない。
【００２８】
好適なＰＰＧホモポリマー材料の非限定的な例は、ポリプロピレングリコール４０００、例えば、Ｐｌｕｒｉｏｌ  Ｐ−４０００（ＢＡＳＦ）、Ａｌｋａｐｏｌ  ＰＰＧ−４０００（Ａｌｋａｒｉｌ  Ｃｈｅｍｉｃａｌ）、及びＮｉａｘ  Ｐｏｌｙｏｌ  ＰＰＧ  ４０２５（Ｕｎｉｏｎ  Ｃａｒｂｉｄｅ）、ポリプロピレングリコール３５００、ポリプロピレングリコール３０００、例えば、Ｎｉａｘ  ＰＰＧ  ３０２５（Ｕｎｉｏｎ  Ｃａｒｂｉｄｅ）、ポリプロピレングリコール２０００、例えば、Ａｌｋａｎｏｌ  ＰＰＧ−２０００（Ａｌｋａｒｉｌ  Ｃｈｅｍｉｃａｌ）、及びＰｌｕｒｉｏｌ  Ｐ−２０００（ＢＡＳＦ）、ポリプロピレングリコール１２００、例えば、Ａｌｋａｐｏｌ  ＰＰＧ−１２００（Ａｌｋａｒｉｌ  Ｃｈｅｍｉｃａｌ）及びＧｌｕｃａｍ  Ｐ−２０  Ｈｕｍｅｃｔａｎｔ（Ｎｏｖｅｏｎ）、ポリプロピレングリコール１０００、例えば、Ｎｉａｘ  ＰＰＧ  １０２５（Ｕｎｉｏｎ  Ｃａｒｂｉｄｅ）、ポリプロピレングリコール６００、例えば、Ａｌｋａｎｏｌ  ＰＰＧ−６００（Ａｌｋａｒｉｌ  Ｃｈｅｍｉｃａｌ）、及びＧｌｕｃａｍ  Ｐ−１０  Ｈｕｍｅｃｔａｎｔ（Ｎｏｖｅｏｎ）、ポリプロピレングリコール４００、例えば、Ａｌｋａｎｏｌ  ＰＰＧ−４２５（Ａｌｋａｒｉｌ  Ｃｈｅｍｉｃａｌ）、ポリプロピレングリコール４０００グリセロールエーテル、例えば、Ｐｌｕｒｉｏｌ  Ｔ−４０００（ＢＡＳＦ）、ポリプロピレングリコール２０００グリセロールエーテル、ポリプロピレングリコール２０００ブタンジオールエーテル、ポリプロピレングリコール１５００グリセロールエーテル、例えば、Ｐｌｕｒｉｏｌ  Ｔ−１５００（ＢＡＳＦ）、モノメチルエーテルを含むポリポリプロピレン（polypolypropylene glycol）グリコール４０００、ジメチルエーテルを含むポリプロピレングリコール２０００、モノブチルエーテルを含むポリプロピレングリコール４０００、モノブチルエーテルを含むポリプロピレングリコール２０００、ジブチルエーテルを含むポリプロピレングリコール１２００、ビス（２−アミノプロピルエーテル）を含むポリプロピレングリコール４０００、ＰＰＧ−１０メチルグルコースエーテル、並びにＰＰＧ−２０メチルグルコースエーテルである。
【００２９】
好適なＰＰＧホモポリマー材料が、典型的には、約４００〜約１０，０００、好ましくは約６００〜約６，０００、及びより好ましくは約１，２００〜約４，８００の数平均分子量を有する。
【００３０】
好適なＰＰＧコポリマー材料としては、ポリプロピレングリコール（polyprolyene glycol）セグメントがコポリマー構造の内部ブロック成分及び／又は末端成分として存在するものが挙げられる。以下の式は内部ブロック成分及び末端ブロック成分を示す。
【化２】
2011510801.tif 000004
式中、ｘは２〜１２０、好ましくは２〜８０、及びより好ましくは３〜６０であり、ｙは２〜１００、好ましくは２〜５０、及びより好ましくは３〜３０であり、Ｒ２は、水素、メチル、エチル、プロピル、イソプロピル、ブチル、イソブチル、ベンジル、アセトカルボニル、プロピオカルボニル、ブチロカルボニル、イソブチロカルボニル、ベンゾカルボニル、フマロカルボニル、アミノベンゾカルボニル、カルボキシメチレン、アミノプロピレン、アルキル化グルコース、アルキル化スクロース、アルキル化セルロース、アルキル化デンプン、又はホスフェートであり、Ｒ２は、好ましくは、水素、メチル、エチル、イソプロピル、又はイソブチルである。
【００３１】
本ローション組成物のための、ＰＰＧを含むプロポキシル化コポリマーを形成するために好適なポリマーとしては、アルキルメチコン、フェニルメチコン、ジメチコン、アルキルトリメチコン、フェニルトリメチコン、ポリオール、ポリエーテル（例えば、ポリオキシメチレン、ポリオキシエチレン、及びポリオキシプロピレン）、ポリイミン、ポリアミド、ポリアクリレート、ポリエステルのホモポリマー、及びこれらのポリマー単位の１つ又は複数を含有するコポリマーが挙げられる。好適なポリマーの非限定的な例としては、ポリジメチルシロキサン、ポリエチルイミン、ポリアクリル酸、ポリ（エチレン−コ−アクリル酸）、ポリメタクリル酸、ポリ（エチレン−コ−メタクリル酸）、ポリ（ビニルアセテート）、ポリビニルピロリドン、ポリ（エチレン−コ−ビニルアセテート）、ポリ（ブタンジオール）、ポリ（ネオペンチルグリコール）、ポリ（エチレンアジパート）、ポリ（ブチレンアジパート）、ポリ（エチレングルタメート）、ポリ（ブチレングルタメート）、ポリ（エチレンセバケート）、ポリ（ブチレンセバケート）、ポリ（エチレンスクシネート）、ポリ（ブチレンスクシネート）、ポリ（エチレンテレフタレート）、ポリ（ブチレンテレフタレート）、ポリカプロラクトン及びポリグリセロールが挙げられる。
【００３２】
好適なＰＰＧコポリマー材料の非限定的な例としては、Ｓｉｓｏｆｔ  ９１０（Ｍｏｍｅｎｔｉｖｅ）のようなＰＰＧ−１２ジメチコン、Ｐｏｌｙｄｅｒｍ−ＰＰＩ−ＳＩ−ＷＩ（Ａｌｚｏ）のようなビス−ＰＰＧ−１５ジメチコン／ＩＰＤＩコポリマー、ＰＰＧ／ポリカプロラクトンブロックコポリマー、ＰＰＧ／ポリブタンジオール／ＰＥＧトリブロックコポリマー；ポリエチルイミン／ＰＰＧコポリマー、及びポリアクリル酸−ｇ−ＰＰＧグラフトコポリマーが挙げられる。
【００３３】
別の好適なＰＰＧ材料としては、ＰＰＧ界面活性剤材料が挙げられる。以下の式はＰＰＧセグメントが頭部官能基の一部を構成する、好適なＰＰＧ界面活性剤材料を表す。
【化３】
2011510801.tif 000005
式中Ｒ３は、水素、アルキル、アルキルカルボニル、アルキレンアミン、アルキレンアミド、アルキレンホスフェート、アルキレンカルボン酸、アルキレンスルホン酸塩及び６以下の炭素元素の最大数を有するアルキレン第四級アンモニウム化合物であり、Ｒ４は、オクチル、ノニル、デシル、イソデシル（iosdecyl）、ラウリル、ミリスチル、セチル、イソヘキサデシル、オレイル、ステアリル、イソステアリル、タローオイル、リノレイル、ホホバ、ラノリン、ベヘニル、Ｃ２４〜Ｃ２８アルキル、Ｃ３０〜Ｃ４５アルキル、ジノニルフェニル、ドデシルフェニル、又はソヤであり、ｚは１〜１００、好ましくは２〜３０、より好ましくは３〜２５であり、Ｆはエーテル基（オキシ、グリセリル、グルコース、ソルビタン、スクロース、モノエタノールアミン、又はジエタノールアミンを含む）、エステル基（エステル、グリセリルエステル、グルコースエステル、ソルビタンエステル又はスクロースエステルを含む）、アミン基、アミド基及びリン酸エステル基からなる群から選択される官能基である。
【００３４】
以下の式はＰＰＧセグメントが内部ブロック基を構成する、好適なＰＰＧ界面活性剤材料を表す。
【化４】
2011510801.tif 000006
式中、Ｒ５は、ヘキシル、２−エチルヘキシル、オクチル、ノニル、デシル、イソデシル、ラウリル、ココイル、ミリスチル、セチル、イソヘキサデシル、オレイル、ステアリル、イソステアリル、タロー、リノレイル、オクチルフェニル又はノニルフェニルであり、ｒは１〜１２０、好ましくは４〜５０、より好ましくは６〜３０であり、Ｇはエーテル、エステル、アミン又はアミド結合である。
【００３５】
好適なＰＰＧ界面活性剤材料の非限定的な例としては、ヘトソール（Hetoxol）Ｃ３０Ｐ（グローバルセブン（Global Seven））のようなＰＰＧ−３０セチルエーテル；グルカムＰ−２０ジステアレートエモリエント（ノベオン（Noveon））のようなＰＰＧ−２０メチルグルコースエーテルジステアレート、ＰＰＧ−２０メチルグルコースエーテルアセテート、ＰＰＧ−２０ソルビタントリステアレート、ＰＰＧ−２０メチルグルコースエーテルジステアレート、ＰＰＧ−２０ジステアレート、アラモール−Ｅ（Alamol-E）（クローダ−ユニケマ（Croda-Uniqema））及びプロセチル（Procetyl）１５（クローダ（Croda））のようなＰＰＧ−１５ステアリルエーテル、ＰＰＧ−１５ステアリルエーテルベンゾエート、ＰＰＧ−１５イソヘキサデシルエーテル、ＰＰＧ−１５ステアレート、ＰＰＧ−１５ジココエート、ＰＰＧ−１２ジラウレート、バロニック（Varonic）ＡＰＳ（エボニック（Evonik））のようなＰＰＧ−１１ステアリルエーテル；プロセチル１０（クローダ）のようなＰＰＧ−１０セチルエーテル；ＰＰＧ−１０グリセリルステアレート、ＰＰＧ−１０ソルビタンモノステアレート、ＰＰＧ−１０硬化ヒマシ油、ＰＰＧ−１０セチルホスフェート、ＰＰＧ−１０タローアミン、ＰＰＧ−１０オレアミド、ＰＰＧ−１０セチルエーテルホスフェート、ＰＰＧ−１０ジノニルフェノラート、ＰＰＧ−９ラウレート、ＰＰＧ−８ジオクタート、ＰＰＧ−８ジエチルヘキシラート、ＰＰＧ−７ラウリルエーテル、ＰＰＧ−５ラノリンワックスエーテル、ＰＰＧ−５スクロースココエート、ＰＰＧ−５ラノリンワックス、ＰＰＧ−４ホホバアルコールエーテル、ＰＰＧ−４ラウリルエーテル、プロミリスチル（Promyristyl）ＰＭ−３（クローダ）のようなＰＰＧ−３ミリスチルエーテル、クローダモール（Crodamol）ＰＭＰ（クローダ）のようなＰＰＧ−３ミリスチルエーテルプロピオネート、クローダモールＳＴＳ（クローダ）のようなＰＰＧ−３ベンジルエーテルミリステート、ヘテスター（Hetester）ＨＣＰ（アルゾ）のようなＰＰＧ−３硬化ヒマシ油、ＰＰＧ−３ヒドロキシエチルソヤミド、ＰＰＧ−２コカミド、ＰＰＧ−２ラノリンアルコールエーテル及びアミゼット（Amizett）ＩＰＣ
（川研ファインケミカル（Kawaken Fine Chemicals））のようなＰＰＧ−１ヤシ脂肪酸イソプロパノールアミドが挙げられる。
【００３６】
ＰＰＧ材料に加えて、本発明のローション組成物は所望により、特にこれらのローション組成物が吸収性物品上への適用から身体に投与されたとき、紅斑、悪臭及び細菌性皮膚疾患の予防及び治療に極めて有効である、ヘキサミジン、酸化亜鉛及びナイアシンアミドのような身体治療剤の選択組み合わせを更に含むことができる。
【００３７】
本発明のローション組成物は所望により、ＰＰＧ材料及び／又は任意の身体治療剤のためのキャリアを更に含むことができる。キャリアは個々のキャリア又はキャリア成分の組み合わせとして組成物に含まれることができるが、但し、総キャリア濃度は身体上にＰＰＧ材料及び／又は任意の身体治療剤を移動及び／又は移行させ、吸収性物品への流体獲得を促進するのに十分である。キャリアは液体、固体、若しくは半固体キャリア材料又はこれらの材料の組み合わせであることができるが、但し、得られるキャリアは得られるキャリア系のために選択された加工温度及び本明細書のローション組成物を配合する際にキャリアと皮膚治療剤を組み合わせるための加工温度において、均一な混合物、溶液、安定なエマルション、又は安定な分散液を形成する。キャリア系の加工温度は約６０℃〜約９０℃、より典型的には約７０℃〜約８５℃、更により典型的には約７０℃〜約８０℃の範囲であってもよい。
【００３８】
本発明のローション組成物はローション組成物の約６０重量％〜約９９．９重量％、好ましくは約７０重量％〜約９８重量％、より好ましくは約８０重量％〜約９７重量％の範囲のキャリア総濃度で、キャリアを含むことができる。好適なキャリア化合物としては、約４〜約３２個の炭素原子を有する石油系炭化水素、約１２〜約２４個の炭素原子を有する脂肪族アルコール、ポリシロキサン化合物、脂肪酸エステル、アルキルエトキシレート、約１〜約６個の炭素原子を有する低級アルコール、低分子量グリコール及びポリオール、約１２〜約２８個の炭素原子をその脂肪鎖中に有する脂肪族アルコールエーテル、ラノリン及びその誘導体、アセトグリセリド及びＣ１２〜Ｃ２８脂肪酸のエトキシル化グリセリドを含むグリセリド及びその誘導体、並びにこれらの混合物が挙げられる。別の方法として、又は組み合わせて、キャリアは、ジメチコン（１Ｅ−６〜１００ｍ２／ｓ（１〜１００，０００，０００センチストークス））、シクロメチコン、アルキル化シリコーン（ヘアコンディショニング剤）、シリコーンゴム、シリコーンゲル、シリコーンワックス、シリコーンコポリマー（ビニルジメチコンポリマー、フェニルビニルジメチコンポリマー、アルキル化シリコーンポリマー、ポリエチレンオキシド／シリコーンコポリマー、ポリエチレンオキシド／アルキルシリコーンコポリマー）、及びこれらの混合物を含むポリシロキサン化合物の非限定的な例から構成されてもよい。
【００３９】
約４個〜約３２個の炭素原子を有する好適な石油系炭化水素の非限定例としては、鉱油、ワセリン、イソパラフィン、様々なその他の分枝鎖炭化水素、及びこれらの組み合わせが挙げられる。鉱油は「流動ワセリン」としても既知であり、通常は約１６〜約２０個の炭素原子を有する炭化水素のより粘稠でない混合物を指す。またワセリンは、「ミネラルワックス」、「石油ゼリー」、及び「ミネラルゼリー」としても既知であり、普通は約１６〜約３２個の炭素原子を有する炭化水素のより粘稠な混合物を指す。市販のワセリンの例としては、Ｐｒｏｔｏｐｅｔ（登録商標）１Ｓとして販売されているワセリンが挙げられ、これはＧｒｅｅｎｗｉｃｈ，Ｃｏｎｎｅｃｔｉｃｕｔ所在のＷｉｔｃｏ  Ｃｏｒｐｏｒａｔｉｏｎより入手可能である。
【００４０】
本明細書において好適な他のキャリアとしては、油又は脂肪、例えば、天然油若しくは天然脂肪、又は天然油若しくは天然脂肪誘導体、特に植物性又は動物性のものが挙げられる。非限定的な例としては、アボカド油、アンズ油、杏仁油（kernel oil）、ババス油、ルリヂサ油、ルリヂサ種油、キンセンカ油、ツバキ油、キャノーラ油、ニンジン油、カシューナッツ油、ヒマシ油、カモミール油、サクランボ種油、チーア油、ヤシ油、タラ肝油、トウモロコシ油、トウモロコシ胚芽油、綿実油、ユーカリ油、月見草、グレープシード油、へーゼルナッツ油、ホホバ油、ジュニパー油、核油、亜麻仁油、マカダミア油、メドウフォーム種油、メンハーデン油、ミンク油、ワサビノキ油、モルティエラ油、オリーブ油、パーム油、パーム核油、ピーナッツ油、杏仁油（peach kerne）、菜種油、ローズヒップ油、ベニバナ油、サンドルウッド油、ゴマ油、大豆油、ヒマワリ油、ヒマワリ種油、スイートアーモンド油、トール油、ティーツリー油、カブ種油、クルミ油、小麦粉芽油、ガジュツ油（zadoary oil）、又はこれらの硬化誘導体が挙げられる。植物性の硬化油、又は油脂としては、例えば、硬化ヒマシ油、ピーナッツ油、ソヤ油、カブ種油、綿実油、ヒマワリ油、パーム油、核油、亜麻仁油、トウモロコシ油、オリーブ油、ゴマ油、ココアバター、シアバター、及びヤシ油が挙げられる。
【００４１】
脂肪及び油の他の非限定的な例としては、バター、Ｃ１２〜Ｃ１８酸トリグリセリド、ツバキ油、カプリル／カプリン／ラウリントリグリセリド、カプリル／カプリン／リノール酸トリグリセリド、カプリル／カプリン／ステアリントリグリセリド、カプリル／カプリントリグリセリド、ココアバター、Ｃ１０〜Ｃ１８トリグリセリド、卵油、エポキシ化大豆油、グリセリルトリセチルヒドロキシステアレート、グリセリルトリアセチルリシノレエート、グリコスフィンゴリピド、ヒト胎盤性脂質、合成ベニバナ油、合成ヒマワリ種油、硬化ヒマシ油、硬化ヒマシ油ラウレート、硬化ヤシ油、硬化綿実油、硬化Ｃ１２〜Ｃ１８トリグリセリド、硬化魚油、硬化ラード、硬化メンハーデン油、硬化ミンク油、硬化オレンジラフィー油、硬化パーム核油、硬化パーム油、硬化ピーナッツ油、硬化サメ肝油、硬化大豆油、硬化タロー、硬化植物油、ラノリン及びラノリン誘導体、ラノリンアルコール、ラード、ラウリン／パルミチン／オレイントリグリセリド、レスクエレラ油、マレイン酸大豆油、メドウフォーム油、牛脚油、オレイン／リノレイントリグリセリド、オレイン／パルマチック／ラウリン／ミリスチン／リノレイントリグリセリド、オレオステアリン、オリーブ外皮油、大網脂質、オレンジラフィー油、ペンガワージャンビ油、ペンタデスマバター、リン脂質、ピスタチオナッツ油、ヒト胎盤性脂質、菜種油、米糠油、サメ肝油、シアバター、スフィンゴリピド、タロー、トリベヘニン、トリカプリン、トリカプリリン、トリヘプタノイン、トリヒドロキシメトキシスアテリン、トリヒドロキシステアリン、トリイソノナノイン、トリイソステアリン、トリラウリン、トリリノレイン、トリリノレニン、トリミリスチン、トリオクタノイン、トリオレイン、トリパルミチン、トリセバシン、トリステアリン、トリアンデカノイン、植物油、ふすま脂質など、並びにこれらの混合物が挙げられる。
【００４２】
他の好適なキャリアとしては、モノ−又はジ−グリセリド、例えば、飽和又は不飽和、直鎖又は分岐鎖、置換又は非置換の脂肪酸又は脂肪酸混合物が挙げられる。モノ−又はジグリセリドの例としては、モノ−又はジ−Ｃ１２〜２４脂肪酸グリセリド、特に、モノ−又はジ−Ｃ１６〜２０脂肪酸グリセリド、例えば、グリセリルモノステアレート、グリセリルジステアレートが挙げられる。
【００４３】
キャリアはとしてはまた、分岐状アルコールを含む、直鎖状Ｃ６〜Ｃ２２脂肪酸のエステルが挙げられる。本発明のキャリアとしてはまた、ステロール、フィトステロール、及びステロール誘導体が挙げられる。本発明のローション組成物で使用可能なステロール及びステロール誘導体としては、１７位にテールを有し、極性基を有さないβステロール、例えば、コレステロール、シトステロール、スチグマステロール及びエルゴステロールなど、加えて、Ｃ１０〜Ｃ３０コレステロール／ラノステロールエステル、コレカルシフェロール、コレステリルヒドロキシステアレート、コレステリルイソステアレート、コレステリルステアレート、７−デヒドロコレステロール、ジヒドロコレステロール、ジヒドロコレステリルオクチルデカノエート、ジヒドロラノステロール、ジヒドロラノステリルオクチルデカノエート、エルゴカルシフェロール、トール油ステロール、大豆ステロールアセテート、ラナステロール、大豆ステロール、アボカドステロール、「ＡＶＯＣＡＤＩＮ」（Ｐａｒｓｉｐｐａｎｙ，Ｎ．Ｊ．のＣｒｏｄａ  Ｌｔｄの商標名）、ステロールエステル及び類似化合物、並びにこれらの混合物を挙げることができるが、これらに限定されない。フィトステロールの市販の例は、Ｃｏｇｎｉｓ  Ｃｏｒｐｏｒａｔｉｏｎ（Ｃｉｎｃｉｎｎａｔｉ，Ｏｈｉｏ）のＧＥＮＥＲＯＬ  １２２  Ｎ  ＰＲＬ精製大豆ステロールである。
【００４４】
約１２〜約２４個の炭素原子を有する好適な脂肪アルコールの非限定例としては、飽和非置換の一価アルコール又はこれらの組み合わせが挙げられ、これらは約１１０℃未満、好ましくは約４５℃〜約１１０℃の融点を有する。本発明のローション組成物に用いる脂肪族アルコールキャリアの具体例としては、セチルアルコール、ステアリルアルコール、セテアリルアルコール、ベヘニルアルコール、アラキジルアルコール、リグノセリル（lignocaryl）アルコール及びこれらの組み合わせが挙げられるが、これらに限定されない。市販のセテアリルアルコールの例はステノール（Stenol）１８２２であり、ベヘニルアルコールはラネッテ（Lanette）２２であり、これらは両方オハイオ州シンシナティ（Cincinnati）所在のコグニス・コーポレーション（Cognis Corporation）より入手可能である。
【００４５】
好適な脂肪酸エステルの非限定的な例としては、Ｃ１２〜Ｃ２８脂肪酸及び短鎖（Ｃ１〜Ｃ８、好ましくはＣ１〜Ｃ３）一価アルコールの混合物、好ましくはＣ１６〜Ｃ２４飽和脂肪酸及び短鎖（Ｃ１〜Ｃ８、好ましくはＣ１〜Ｃ３）一価アルコールの混合物由来の脂肪酸エステルが挙げられる。好適な脂肪酸エステルはまた、より長鎖の脂肪族アルコール（Ｃ１２〜Ｃ２８、好ましくはＣ１２〜Ｃ１６）及び乳酸のような、より短鎖の脂肪酸のエステル由来であることができ、その具体例としては、ラウリルラクテート及びセチルラクテートが挙げられる。好適な脂肪酸エステルの代表例としては、メチルパルミテート、メチルステアレート、イソプロピルラウレート、イソプロピルミリステート、イソプロピルパルミテート、エチルヘキシルパルミテート、ステアリルステアレート、パルミチルステアレート、ステアリルベヘネート、セチルステアレート、セチルベヘネート、セチルパルミテート、セテアリルベヘネート、ベヘニルベヘネート、ステアリルへプタノエート、ステアリルオクタノエート、ミリスチルミリステート、ミリスチルイソステアレート、ミリスチルオレエート、セチルイソステアレート、セチルオレエート、ステアリルイソステアレート、ステアリルオレエート、イソステアリルミリステート、イソステアリルパルミテート、イソステアリルステアレート、イソステアリルイソステアレート、イソステアリルオレエート、イソステアリルベヘネート、イソステアリルオレエート、オレイルミリステート、オレイルパルミテート、オレイルステアレート、オレイルイソステアレート、オレイルオレエート、オレイルベヘネート、オレイルエルカ酸、ベヘニルイソステアレート、ベヘニルオレエート、エルカ酸イソステアレート、及びこれらの混合物が挙げられる。
【００４６】
好適なアルキルエトキシレートの非限定的な例としては、約２〜約３０の平均エトキシ化度を有するＣ１２〜Ｃ２２の脂肪族アルコールエトキシレートが挙げられる。約１〜約６個の炭素原子を有する好適な低級アルコールの非限定的な例としては、エタノール、イソプロパノール、ブタンジオール、１，２，４−ブタントリオール、１，２ヘキサンジオール、エーテルプロパノール及びこれらの混合物が挙げられる。好適な低分子量グリコール及びポリオールの非限定的な例としては、エチレングリコール、ポリエチレングリコール（例えば、分子量２００〜６００ｇ／モル）、ブチレングリコール、プロピレングリコール、ポリプロピレングリコール及びこれらの混合物が挙げられる。好適な炭化水素、ポリシロキサン化合物、及び脂肪族アルコールエトキシレートを包含するキャリア成分のより詳細な記載は、１９９７年７月１日にロー（Roe）らに発行された、「ローションを適用したトップシートを有するおむつ（Diaper Having A Lotioned Topsheet）」という題名の米国特許第５，６４３，５８８号に見ることができる。
【００４７】
好適なキャリアは、更にワックスを包含する。本明細書で使用するとき、用語「ワックス」とは、ワックス状の構成成分を有し、融点が周囲温度よりも高い、特に２５℃よりも高い油溶性材料を指す。ワックスは固体から半固体（クリーム状）の稠度を有し、結晶性であってもなくてもよく、液化点よりも少し高い温度では比較的低い粘度を有する材料である。ローション組成物に組み込むことができる好適なワックスとしては、動物、植物、ミネラル、又はシリコーン系のワックスが挙げられ、これらは天然、又は合成であってもよく、これらの混合物を含んでもよい。ワックスとしては、植物性の天然ワックス、例えば、ヤマモモワックス、密蝋、キャンデリラワックス、カルナバ、セレシン、パーゼリン、シアバター、ココアバター、和蝋、ホホバワックス、ラノリンワックス、アフリカハネガヤワックス、コルクワックス、グラルマワックス、コメ胚油ワックス、オーリキュリーワックス、ミンクワックス、モンタンワックス、米糠ワックス、使用済穀粒ワックス、鯨蝋、ヒマワリワックス、セレシンワックス、サトウキビワックス、カルナバワックス、キャンデリラワックス、フルーツ由来のワックス、例えば、オレンジワックス、レモンワックス、グレープフルーツワックス、ヤマモモワックスなど、及び動物性のワックス、例えば、密蝋、ウールワックス、熊脂、セラックワックスなどが挙げられるがこれらに限定されない。天然ワックスは、ミネラルワックス、例えば、セレシン及びオゾケライトワックスを更に含む。合成ワックスは、石油系ワックス、例えば、先に記載されたいくつかのキャリア材料、例えば、パラフィン、ワセリン、ペトロラタム、マイクロワックス、及び微結晶ワックスを含む。更なる好適な合成ワックスは、ポリアルキレン及びポリエチレングリコールワックス、例えば、ポリエチレンワックス、塩素化ナフタレン系のワックス、例えば、「Ｈａｌｏｗａｘ」、合成炭化水素ワックスなど、ＰＥＧ−６密蝋、ＰＥＧ−８密蝋、Ｃ３０アルキルジメチコン、合成密蝋、合成キャンデリラワックス、合成カルナバワックス、合成和蝋、合成ホホバワックス、モンタン酸ワックス、モンタンワックス、オーリキュリーワックス、レゾワックスであり、これらの混合物を含む。更に好適なワックスは、化学的に改質されたワックス、特に硬化、又は水素添加したワックス、例えば、硬化綿実油、硬化ホホバ油、硬化ホホバワックス、硬化微結晶ワックス、硬化米糠ワックス、モンタンエステルワックス、サソルワックス、ホホバエステルなどである。
【００４８】
他のワックス構成成分が、一定の脂肪（モノ−、ジ−及びトリグリセリド、及び脂肪酸アルキルエステル）、脂肪アルコール、置換脂肪酸を含む脂肪酸（特に、ヒドロキシ置換脂肪酸、例えば、１２−ヒドロキシステアリン酸）、ジアルキル（エン）エーテル、ジアルキル（エン）カーボネート、ジカルボン酸（特に、Ｃ１６〜Ｃ４０−ジカルボン酸のジアルキルエステル、例えば、Ｃ１６〜Ｃ４０−アルキルステアレート、Ｃ１８〜Ｃ３８−アルキルヒドロキシステアリルステアレート、又はＣ２０〜Ｃ４０−アルキルエルカ酸）、並びにヒドロキシ脂肪アルコールであり得る。より更なるワックス構成成分、芳香族炭酸、トリカルボン酸の群から、又は長鎖ヒドロキシ炭酸のラクチドの群から選択される。ミリスチル乳酸は、好適なキャリアである。使用され得る更なるワックス構成成分は、Ｃ３０〜Ｃ５０アルキル蜜蝋、トリ−Ｃ１６〜Ｃ４０−アルキルシトレート、例えば、トリステアリルシトレート、トリイソステアリルシトレート、トリラウリルシトレート、エチレングリコールジ脂肪酸エステル、特にエチレングリコールジ−Ｃ１２〜Ｃ３０−脂肪酸エステル、例えば、エチレングリコールジパルミテート、エチレングリコールジステアレート、及びエチレングリコールジ（１２−ヒドロキシステアレート）である。
【００４９】
他の好適なキャリアとしては、本明細書で先に記載した材料のいくつかを含む、固化剤として機能する材料が挙げられる。本発明のローション組成物中の好適な固化剤は、組成物を固化することを助けるように機能することができ、それによって組成物は室温で固体であり、少なくとも３２℃の融点を有する。固化剤はまた、組成物に粘着度を提供してもよく、これは、着用者の皮膚への粘着による、移動を改善する。選択される固化剤により、固化剤はまた、移動の様式を改善することができ、それによって組成物は、実際に擦れて着用者の皮膚に付く代わりに、破裂するか、剥がれ落ちる傾向を有し、これは、皮膚への移動の改善につながり得る。固化剤は、更に、皮膚軟化剤、閉塞剤、保湿剤、障壁向上剤、粘度向上剤、及びこれらの組み合わせとして機能してもよい。固化剤は、アルキルシロキサン、ポリマー、３５℃以上の融点を有する硬化植物油、３５℃以上の融点を有する脂肪酸エステル、アルキルヒドロキシステアレート、分岐状エステル、アルコキシル化アルコール、及びアルコキシル化カルボン酸から選択され得る。加えて、固化剤は、動物、植物、及びミネラルワックス並びにアルキルシリコーンから選択され得る。好適な固化剤の例としては、以下の：アルキルシリコーン、アルキルトリメチルシラン、蜜蝋、ベヘニルベヘネート、ベヘニルベンゾエート、Ｃ２４〜Ｃ２８アルキルジメチコン、Ｃ３０アルキルジメチコン、セチルメチコン、ステアリルメチコン、セチルジメチコン、ステアリルジメチコン、セロチルジメチコン、キャンデリラワックス、カルナバ、合成カルナバ、ＰＥＧ−１２カルナバ、セラシン、硬化微結晶ワックス、ホホバワックス、微結晶ワックス、ラノリンワックス、オゾケライト、パラフィン、合成パラフィン、セチルエステル、ベヘニルベヘネート、Ｃ２０〜Ｃ４０アルキルベヘネート、Ｃ２〜Ｃ５ラクテート、セチルパルミテート、ステアリルパルミテート、イソステリルベヘネート、ラウリルベヘネート、ステアリルベンゾエート、ベヘニルイソステアレート、セチルミリステート、セチルオクタノエート、セチルオレアート、セチルリシノレエート、セチルステアレート、デシルオレエート、ジＣ２〜Ｃ５アルキルフメレート、ジベヘニルフメレート、ミリスチルラクテート、ミリスチルリグノセレート、ミリスチルミリステート、ミリスチルステアレート、ラウリルステアレート、オクチドデシルステアレート、オクチドデシルステアロイルステレート、オレイルアラキジン酸塩、オレイルステアレート、トリデシルベヘネート、トリデシルステアレート、トリデシルステアロイルステアレート、ペンタエリスリトール、テトラベヘネート、ペンテエリスリチル硬化ロジン、ペンタエリスリチルジステアレート、ペンタエリスリチルテトラアベート、ペンテエリスリチルテトラココエート、ペンテエリスリチルテトラパーラーゴネート、ペントセリスリチルテトラステアレート、エチレンビニルアセテート、ポリエチレン、硬化綿実油、硬化植物油、硬化スクアレン、硬化ヤシ油、硬化ホホバ油、硬化パーム油、硬化パーム核油、硬化オリーブ油、ポリアミド、金属ステアレート及び他の金属石鹸、Ｃ３０〜Ｃ６０脂肪アルコール、Ｃ２０＋脂肪アミド、ポリプロピレン、ポリスチレン、ポリブタン、ポリブチレンテレフタレート、ポリジペンタン、ポリプロピレン、ステアリン酸亜鉛、ドデシルラウレート、ステアリルパルミテート、オクタデシルヘキセデカノエート、オクタデシルパルミテート、ステアリルベヘネート、ドコシルオクタノエート、テトラデシル−オクタデカニルベヘネート、ヘキサデシル−コサニルヘキサコサネート、セラックワックス、グリコールモンタネート、フッ化ワックス（fluoranated waxes）、Ｃ２０〜Ｃ４０アルキルヒドロキシステアリルステアレート、並びにこのような化合物の組み合わせが挙げられるが、これらに限定されない。
【００５０】
本発明によるローションをつけた生理用品の調整においては、ローション組成物が、トップシートの外表面に適用される。溶融又は液体稠度を有するぬるぬるした材料を分配する種々の適用方法のいずれかを用いることができる。好適な方法としては、噴霧、印刷（例えば、フレキソ印刷）、コーティング（例えば、グラビアコーティング）、押出成形、浸漬又はこれらの適用技術の組み合わせ、例えば、カレンダーロールのような回転している表面上にローション組成物を噴霧し、次いで組成物を生理用ナプキンのトップシートの外表面に移動させる等が挙げられるが、これらに限定されない。更に、ローション組成物を生理用品の一部に適用する方式は基材又は構成要素がローション組成物で飽和しないようなものであることができる。
【００５１】
生理用品の構成要素に適用されるローション組成物の最低水準は、好ましくはその構成要素への経血の付着を低減するのに有効な量である。
【００５２】
ローション組成物はまた、生理用品の構成要素又は層に不均一に適用することができる。「不均一」とは、ローション組成物の量、分配パターン等が変動し得ることを意味する。例えば、ローション組成物２２の不均一パターンを図３に示す。ローション組成物の不均一な適用は、規則的形状、例えば、点、縞、矩形のランダムなパターン、又は他の不規則なパターンであってもよい。
【００５３】
ローション組成物は組立中の任意の時点で生理用品に適用することができる。例えば、ローション組成物はまた、それが他の原材料と組み合わせられ、完成した生理用品を形成する前に、トップシートの外表面に適用することができる。
【００５４】
本発明のローション組成物は当該技術分野において既知であるか、米国特許第５，９６８，０２５号に開示されているような、印刷方法又は連続噴霧又は押出成形により適用することができる。
【００５５】
本明細書に開示されている寸法及び値は、列挙した正確な数値に厳しく制限されるものとして理解すべきではない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００５６】
「発明を実施するための形態」で引用した全ての文献は、関連部分において本明細書に参考として組み込まれるが、いずれの文献の引用も、それが本発明に関して先行技術であることを容認するものとして解釈すべきではない。本明細書中の用語の任意の意味又は定義が、参照により組み込まれた文献中の同一の用語の任意の意味又は定義と相反する限りにおいては、本明細書においてその用語に与えられた意味又は定義が適用されるものとする。
【００５７】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の特許請求の範囲で扱うものとする。
【図１】
2011510801.tif 000012
【図２】
2011510801.tif 000013
【図３】
2011510801.tif 000014
【国際調査報告】
2011510801.tif 000015
2011510801.tif 000016
2011510801.tif 000017